(57)【特許請求の範囲】
【請求項１】
電気鉄道の各変電所に最大２台の主器を設備し、該主器を１日２回まで運転・停止を行う運転・停止計画書の作成業務を支援するシステムであって、
年月日と平日／休日の違いを設定できる休日設定カレンダと、
変電所名と、該変電所の主器が常用器か補器かの違いと、前記カレンダの平日／休日の違いと、負荷特性に応じて主器の時間帯別の運転・停止状態を設定する主器停止パターンを定義できる停止時間帯定義テーブルと、
前記主器が常用主器となる月と、当該主器が設備される変電所名と、当該主器が常用器か補器かの違いと、当該主器が１号機か２号機かの違いを定義できる常用主器定義テーブルと、
主器が設備される変電所名と、当該主器が１号機か２号機かの違いと、当該主器の停電パターンを定義できる停電パターン定義テーブルと、
計画書作成処理部とを備え、
前記計画書作成処理部は、
前記カレンダの設定と各テーブルの定義及び変更を画面上で実行するための処理手段と、
前記各変電所の１カ月単位の主器運転計画書の画面表示と計画の追加／削除を実行するための処理手段と、
前記停止時間帯定義テーブルから各変電所の主器停止パターンを取得し、この主器停止パターンを前記カレンダ情報から日毎の平日／休日別にして１カ月分の主器停止パターンに展開し、この展開した主器停止パターンに前記常用主器定義テーブルを基に常用器／補器になる主器をリンクさせ、このリンクさせた主器停止パターンと前記停電パターン定義テーブルに定義した主器毎の停電パターンに基づいて時間帯別の運転・停止計画書を作成出力する処理手段とを備えたことを特徴とする電気鉄道の運転計画業務支援システム。
【請求項２】
前記計画書作成処理部は、同容量の２台の主器をもち、通常時には月別に１台の主器だけを交互運転する変電所を対象とし、月別に変電所の２台の主器の交互運転の有無と標準動作時刻を画面上で変更し、この変更した運転・停止計画書を作成出力する処理手段を備えたことを特徴とする請求項１に記載の電気鉄道の運転計画業務支援システム。
【発明の詳細な説明】
【０００１】
【発明の属する技術分野】
本発明は、電気鉄道の運転計画業務支援システムに係り、特にき電電源の主器の運転・停止の計画書を自動作成するための業務支援システムに関する。
【０００２】
【従来の技術】
長距離の電気鉄道システムでは、多くの変電所から区間内のき電線さらにはトロリー線を通して多数の電気車に給電できるようにしている。各変電所では、き電電源用の主器（直流の場合は整流器、交流の場合はき電用変圧器）に電気車の定格電圧に合わせた出力を得る。
【０００３】
一般に、主器は、各変電所に１台または２台設置されており、経済的な観点から負荷に応じて運転台数を増減させる。例えば、電気鉄道の負荷量は、電車や列車ダイヤの運転本数に応じて変動するため、１日の時間帯及び平日と休日で変動するが、同じ平日であればほぼ毎日同じような変動カーブ（負荷特性）を描くため、日別や月別にした各時間帯での負荷特性に応じて主器の運転台数を切り替えている。
【０００４】
したがって、過去の負荷特性に応じて、主器の運転台数を増減させるような運転・停止の計画書を１カ月分まとめて立案することができれば、保守工事等のための停電など、電気鉄道の運転計画業務に役立つ。
【０００５】
また、２台の主器をもち、かつ容量的に余裕のある変電所では、通常は１台の主器だけ運転しておき、保守性などの観点から月単位で運転号機を切り替えるほうが望ましい。この場合も、月単位に一度、運転号機を切り替えるような運転・停止の計画書を自動で立案することができれば、電気鉄道の運転計画業務に役立つ。
【０００６】
【発明が解決しようとする課題】
前記のように、電気鉄道の負荷量などに応じて、主器の運転台数及び運転主器の切り替えなどの計画書を適宜自動作成できれば、電気鉄道の運転計画業務に役立つが、このような業務支援システムはなかった。
【０００７】
本発明の目的は、計画書の自動作成などによって主器の日単位及び月単位の運転・停止計画業務を支援できるようにした電気鉄道の運転計画業務支援システムを提供することにある。
【０００８】
【課題を解決するための手段】
本発明は、コンピュータ処理により、時間帯毎の負荷特性に応じて主器の運転・停止計画書の作成業務を支援できるようにし、さらに２台の主器をもちかつ容量的に余裕のある変電所では月単位で運転号機の切り替えなどの運転・停止計画書の作成業務を支援できるようにしたもので、以下のシステムを特徴とする。
【０００９】
電気鉄道の各変電所に最大２台の主器を設備し、該主器を１日２回まで運転・停止を行う運転・停止計画書の作成業務を支援するシステムであって、
年月日と平日／休日の違いを設定できる休日設定カレンダと、
変電所名と、該変電所の主器が常用器か補器かの違いと、前記カレンダの平日／休日の違いと、負荷特性に応じて主器の時間帯別の運転・停止状態を設定する主器停止パターンを定義できる停止時間帯定義テーブルと、
前記主器が常用主器となる月と、当該主器が設備される変電所名と、当該主器が常用器か補器かの違いと、当該主器が１号機か２号機かの違いを定義できる常用主器定義テーブルと、
主器が設備される変電所名と、当該主器が１号機か２号機かの違いと、当該主器の停電パターンを定義できる停電パターン定義テーブルと、
計画書作成処理部とを備え、
前記計画書作成処理部は、
前記カレンダの設定と各テーブルの定義及び変更を画面上で実行するための処理手段と、
前記各変電所の１カ月単位の主器運転計画書の画面表示と計画の追加／削除を実行するための処理手段と、
前記停止時間帯定義テーブルから各変電所の主器停止パターンを取得し、この主器停止パターンを前記カレンダ情報から日毎の平日／休日別にして１カ月分の主器停止パターンに展開し、この展開した主器停止パターンに前記常用主器定義テーブルを基に常用器／補器になる主器をリンクさせ、このリンクさせた主器停止パターンと前記停電パターン定義テーブルに定義した主器毎の停電パターンに基づいて時間帯別の運転・停止計画書を作成出力する処理手段とを備えたことを特徴とする。
【００１０】
また、前記計画書作成処理部は、同容量の２台の主器をもち、通常時には月別に１台の主器だけを交互運転する変電所を対象とし、月別に変電所の２台の主器の交互運転の有無と標準動作時刻を画面上で変更し、この変更した運転・停止計画書を作成出力する処理手段を備えたことを特徴とする。
【００１１】
【発明の実施の形態】
（１）主器の日単位の運転・停止計画業務支援
本実施形態のシステム構成を図１に示す。コンピュータ１は、計画書の作成業務を支援するアプリケーションとして計画書作成処理部２を搭載し、この処理部２の処理に使用するデータブロックとして休日設定カレンダ３、停止時間帯定義テーブル４、常用主器定義テーブル５および停電パターン定義テーブル６を用意しておく。
【００１２】
コンピュータ１の入出力装置には、少なくともポインティグデバイスとしてのマウス７と、ＣＲＴ等の表示出力装置８と、キーボード等の操作入力装置９及びプリンタ等の印刷出力装置１０を備える。
【００１３】
なお、本実施形態が計画書自動作成対象とする主器は、１つの変電所が設備する主器数を最大でも２台とする。また、２台の同一容量の主器をもつ変電所に限り、１カ月単位の廻し替え運転とする。また、１つの主器停止パターンで１台当たり１日２回までの運転・停止を行うとする。
【００１４】
上記のデータブロックのうちの、休日設定カレンダ３は、年月日と平日／休日の違いを設定しておく。
【００１５】
停止時間帯定義テーブル４は、主器が設備される変電所名と、当該主器が常用器か補器かの違いと、カレンダ３からコピーされる平日／休日の違いと、当該主器の２４時間の運転・停止状態を設定する主器停止パターンの項目を有してデータ化する。このうち、主器停止パターンは、システムの負荷特性に応じて各変電所の各主器毎の停電時間帯と、それに付随する停電パターンを決める。また、このテーブル４は、各主器の運転・停止計画が１カ月分まとめて作成される。
【００１６】
常用主器定義テーブル５は、主器が常用主器となる月と、当該主器が設備される変電所名と、当該主器が常用器か補器かの違いと、当該主器が１号機か２号機かの違いの項目を有してデータ化する。このうち、変電所名と常用器／補器の違いは、テーブル４との互換データになる。また、この定義テーブルの作成には、各変電所の主器の台数とローテーションの有無を定義したデータを別途に用意しておく。
【００１７】
停電パターン定義テーブル６は、主器が設備される変電所名と、当該主器が１号機か２号機かの違いと、停電パターンの項目を有してデータ化する。このうち、変電所名と１号機／２号機の違いは、テーブル５との互換データになる。また、停電パターンは、変電所の制御手順を管理するためのデータとなり、停電パターンの番号が決まればどの変電所のどの機器を制御するかが決まる。
【００１８】
次に、各定義テーブル４〜６と自動運転計画を表示・変更するための処理を説明する。この処理は、計画書作成処理部２が当該プログラムを呼出して実行し、マウス７や表示出力装置８と操作入力装置９により必要な入出力画面を得る。
【００１９】
まず、休日設定カレンダ３の作成は、カレンダ画面を表示し、各年月日別に平日／休日を設定する。
【００２０】
次に、常用主器定義テーブル５の作成に際して、前記の各変電所の主器の台数とローテーションの有無を定義した主器情報定義データを作成する。このデータは、図２に示す画面上で行われ、各変電所毎に主器の台数とローテーションの有無、制御手順パターン番号を変更できるようにする。なお、この画面のうち、２台の主器の容量が異なる変電所及び台数が１台の変電所では、ローテーション欄で「なし」を選択する。
【００２１】
次に、常用主器定義テーブル５の作成は、まず、ローテーション有りの主器を設備する変電所名を画面上で指定する。この指定画面例を図３の（ａ）に示す。この変電所名指定により、同図の（ｂ）に示す当該変電所の常用主器定義画面を表示し、常用器／補器の号数を月毎に表示し、ボタンスイッチ「ＲＥＶ」の操作で１号機と２号機を交互に入れ替える。
【００２２】
次に、停止時間帯定義テーブル４の作成は、まず、主器を設備する変電所名を画面上で指定する。この指定画面例を図４の（ａ）に示す。この変電所名指定により、同図の（ｂ）に示す当該変電所の主器停止パターン画面を表示し、この画面上でマウス等による位置指定で運転・停止を変更する。
【００２３】
この運転・停止の変更は、各主器について、平日／休日及び常用器／補器別で時間帯別に指定できる。また、設定時間帯は、１時間単位とし、例えば画面上の「３」の列が停止シンボルの場合は３:００〜４:００を主器停止とする。また、特定の変電所を自動運転計画対象から除外するには、画面上で全ての時間帯に停止シンボルをセットする。
【００２４】
計画書作成処理部２は、前記までのようにして定義された各テーブル４〜６を利用して、主器の運転計画書を自動的に作成する。まず、各変電所の１カ月単位の主器運転計画を画面表示する。この画面表示には、まず、図５の（ａ）に示すように、月指定と変電所指定を画面上で指定する。この指定により、テーブル４〜６を参照し、同図の（ｂ）に示すように、当該変電所の主器の運転計画を画面表示する。
【００２５】
この画面において、主器の運転計画の追加／削除には、同図の（ｃ）に示す画面上で、号機、停止時刻、起動時刻を入力することにより行い、変更内容は登録シンボルのクリックで確定する。
【００２６】
次に、図５に示す主器の自動運転計画書の作成処理を説明する。計画書作成処理部２は、まず、停止時間帯定義テーブル４から当該変電所の主器停止パターンを平日と休日別及び常用器と補器別に取得する。この取得による画面例を図６の（ａ）に示す。
【００２７】
この後、カレンダ情報から日毎の平日／休日の区別を取得し、これに平日用と休日用の主器停止パターンを組み合わせて１カ月分に展開する。この展開による画面例を図６の（ｂ）に示し、８月１日は平日用のパターンに展開し、８月２日は休日用のパターンに展開する。
【００２８】
この後、常用主器定義テーブル５の内容を基に、当該月の常用器／補器はどの主器かを取得し、図６の（ｂ）に示す展開情報にリンクさせる。このリンクによる画面例を図６の（ｃ）に示し、１号機を常用器とし、２号機を補器とした運転パターンになる。
【００２９】
この後、停電パターン定義テーブル６から、主器毎の停電パターン番号を得、図６の（ｃ）に示す運転パターンでの各時間帯別に停電計画書をまとめる。この計画書の例を図６の（ｄ）に示す。
【００３０】
（２）主器の月単位の交互運転計画業務支援
この処理が対象とするものは、同容量の２台の主器が設備され、１台だけで通常負荷に対応できる変電所とし、１カ月単位の廻し替え運転の計画書を自動作成する。
【００３１】
なお、２台の主器のうち、１号機運転と２号機運転を定位とし、奇数月は２号機の停止計画書、偶数月は１号機の停止計画書を作成する。また、運転号機の切替中は、運転開始した主器が安定状態になるまでの時間遅れ（例えば５分）があるため、過渡的に２台とも運転状態になってもよいが、２台共停止することは避ける。また、運転号機の切替日は毎月１日とし、主器の停止時刻は変電所毎に設定する標準時刻とし、運転開始時刻は標準時刻の５分前とする。
【００３２】
計画書作成処理部２は、主器の交互運転情報定義画面を表示出力装置８に表示する。この定義画面例を図７の（ａ）に示し、変電所名称と交互運転と標準動作時刻と停電パターン番号の項目を設ける。なお、変電所名称は、そのコードの若番順に表示し、１つの変電所が複数回表示されることはない。
【００３３】
この交互運転情報定義画面では、変電所毎に交互運転の有無、標準動作時刻を設定、変更する。また、２台の主器容量が異なる変電所では、交互運転欄で「なし」に設定する。
【００３４】
計画書作成処理部２は、図７の（ａ）に示す定義画面で設定・登録された交互運転計画書を一覧画面として表示出力する。この例を図７の（ｂ）に示し、変電所と停止号機と停止時刻と始動時刻を変電所コードの若番順に表示出力する。
【００３５】
これら設定処理の後、例えば、３カ月後の計画書作成では、３カ月後が偶数月であれば１号機停止計画、奇数月であれば２号機停止計画とし、交互運転有りの各変電所毎に自動作成する。
【００３６】
【発明の効果】
以上のとおり、本発明によれば、時間帯毎の予想負荷に応じて主器の運転・停止計画書の作成業務を支援できるようにし、さらに２台の主器を月単位で運転号機の切り替えするための運転・停止計画書の作成業務を支援できるようにしたため、電気鉄道の運転計画業務を確実、容易にする。
【図面の簡単な説明】
【図１】本発明の実施形態を示すシステム構成図。
【図２】実施形態における主器情報定義画面例。
【図３】実施形態における常用主器定義画面例。
【図４】実施形態における停止時間帯定義画面例。
【図５】実施形態における自動運転計画画面例。
【図６】実施形態における自動運転計画書作成手順。
【図７】実施形態における交互運転情報定義画面例と交互運転計画書例。
【符号の説明】
１…コンピュータ
２…計画書作成処理部
３…休日設定カレンダ
４…停止時間帯定義テーブル
５…常用主器定義テーブル
６…停電パターン定義テーブル
７…マウス
【図１】
0004126841.tif 000002
【図２】
0004126841.tif 000003
【図３】
0004126841.tif 000004
【図４】
0004126841.tif 000005
【図５】
0004126841.tif 000006
【図６】
0004126841.tif 000007
【図７】
0004126841.tif 000008